(57)【要約】【課題】発光効率が高く、かつ、熱分散を図れるＬＥＤモジュールを提供する。【解決手段】出力電圧が５５Ｖ以下のスイッチング電源の両極間に、２５ｍＡ以下のＬＥＤ素子を１０〜２０個直列に並べたＬＥＤ素子群は、発熱を抑制できると共に、消費電力を大幅に削減する。具体的には、色温度が５０００（Ｋ）以上の条件下において、電源を含めた発光効率（Ｌｍ／Ｗ）が８０以上と発光効率をもつ。大電流を必要とする高輝度のパワーＬＥＤを用いるのではなく、２５ｍＡ以下のＬＥＤ素子を用い、それを直列に複数並べることで熱源分散を図り、熱抵抗を小さくして熱の発生を抑制しながら、ＬＥＤ個数を数多く用いることにする。そして、２５ｍＡ以下のＬＥＤ素子を１０〜２０個直列に並べたＬＥＤ素子群をさらに複数並列に並べる。スイッチング電源と２５ｍＡ以下のＬＥＤ素子のかかる配列の組合せにより、ＬＥＤ素子の発光性能を最大限に発揮する。【選択図】図１
2011222368.tif 000002
【特許請求の範囲】
【請求項１】
スイッチング電源と、
前記スイッチング電源の両極間に、
２５ｍＡ以下のＬＥＤ素子を１０〜２０個直列に並べたＬＥＤ素子群を複数並列に並べ、
前記スイッチング電源の出力電圧が５５Ｖ以下とし、
色温度が５０００（Ｋ）以上の条件下において、電源を含めた発光効率（Ｌｍ／Ｗ）が８０以上であることを特徴とするＬＥＤモジュール。
【請求項２】
直流電源と、
前記直流電源の両極間に、
２５ｍＡ以下のＬＥＤ素子を１０〜２０個直列に並べたＬＥＤ素子群を複数並列に並べ、
前記直流電源の出力電圧が５５Ｖ以下とし、
色温度が５０００（Ｋ）以上の条件下において、電源を含めた発光効率（Ｌｍ／Ｗ）が８０以上であることを特徴とするＬＥＤモジュール。
【請求項３】
前記ＬＥＤ素子のジョイント温度が６０℃以下であることを特徴とする請求項１又は２に記載のＬＥＤモジュール。
【請求項４】
アルマイト加工したヒートシンク、放熱材を塗布したヒートシンク、サンドブラスト処理を施し且つアルマイト加工したヒートシンク、及び、サンドブラスト処理を施し且つ放熱材を塗布したヒートシンクの中から選択されたヒートシンクを更に設けたことを特徴とする請求項１又は２に記載のＬＥＤモジュール。
【請求項５】
前記スイッチング電源は、定格電圧値に基づく前記ＬＥＤ素子に流し得るピーク電流値を算出し、前記ピーク電流値に基づいて一定周期のパルス信号によって電源を駆動させる電源駆動回路部であって、
前記ピーク電流値に基づいてパルス幅変調して、前記ＬＥＤ素子のオン期間を規定した第１のオン／オフ周期による第１駆動パルスを生成し、
前記第１駆動パルスのオン期間の中にさらにスイッチングさせて、パルス最大振幅が前記ピーク電流値とした第２のオン／オフ周期による第２駆動パルスを生成し、
前記第２駆動パルスによって駆動された電流を前記ＬＥＤ素子に印加する、
電源駆動回路部を備えたことを特徴とする請求項１又は２に記載のＬＥＤモジュール。
【請求項６】
前記電源駆動回路部は、前記ＬＥＤモジュールが接続される出力側にキャパシタンス及びインダクタンスからなる充放電回路を更に備え、パルスの最大振幅が前記ピーク電流値となるように駆動される前記第１駆動パルス及び第２駆動パルスのオン期間で充電してオフ期間で放電させることによって、前記ＬＥＤモジュール側に充放電によるパルス信号で駆動された電流を印加し得ることを特徴とする請求項５に記載のＬＥＤモジュール。
【請求項７】
請求項１〜６のいずれかのＬＥＤモジュールから成る蛍光灯代替の直管型のＬＥＤ照明器具。
【請求項８】
１２００ｍｍの直管型において、全光束が１８００（Ｌｍ）以上、かつ、使用する前記ＬＥＤ素子の総数が２００個以上であることを特徴とする請求項７に記載のＬＥＤ照明器具。
【請求項９】
６００ｍｍの直管型において、全光束が９００（Ｌｍ）以上、かつ、使用する前記ＬＥＤ素子の総数が１００個以上であることを特徴とする請求項７に記載のＬＥＤ照明器具。
【請求項１０】
前記スイッチング電源又は前記直流電源は、管外に設置されるものであることを特徴とする請求項７〜９のいずれかに記載のＬＥＤ照明器具。
【請求項１１】
請求項１〜６のいずれかのＬＥＤモジュールから成るパネル型のＬＥＤ照明器具。
【請求項１２】
前記ＬＥＤ照明器具は、
遠赤外線放射性物質の顔料を少なくとも含有する塗料が表面に塗布され塗布膜が形成されたヒートシンクに、該ヒートシンクに前記ＬＥＤモジュールを直接実装し、
前記塗布膜が放熱部として機能することを特徴とする請求項７〜１０のいずれかに記載のＬＥＤ照明装置。
【発明の詳細な説明】
【技術分野】
【０００１】
本発明は、省エネを図る蛍光灯など代替のＬＥＤ照明装置に関する。
【背景技術】
【０００２】
近年、電力消費が低い長寿命の発光ダイオード素子（ＬＥＤ素子）が開発されており、このＬＥＤ素子を用いて蛍光灯代替として使用するＬＥＤ照明器具が研究されている。このＬＥＤ照明器具は、複数のＬＥＤ素子を平板な基板に複数配列したＬＥＤモジュールをヒートシンクに取り付けて、これらに合成樹脂などのカバーを設け、ＬＥＤ素子の発光により照明を行うものである。
【０００３】
上記の構造を用いたＬＥＤ照明器具は、多数のＬＥＤ素子を用いるために発熱による高温化に伴い、ＬＥＤ素子内部の熱抵抗が上がるため、ＬＥＤ素子の発光効率が低下するといった問題がある。かかる問題を回避すべく、ＬＥＤ照明器具の構造を簡単にして、使用するＬＥＤ素子の数を減らして照度を明るくする技術が知られている（例えば、特許文献１を参照。）。特許文献１に開示された技術は、ＬＥＤ照明器具の内部に配置されるＬＥＤ素子の基盤上の表面に光りの反射効率が高い材料を設けるものである。これは、ＬＥＤ素子周辺の温度が上昇し発光効率が低下するのを防止すべく、ＬＥＤ素子の数を多くしなくとも発光効率を保持でき、かつ、指向性の強いＬＥＤ素子の発光の分散を図るものである。
【０００４】
また、従来から存在するＬＥＤ照明器具の場合、ＬＥＤ素子にある程度の発光強度が要求されることから、高輝度ＬＥＤやパワーＬＥＤが用いられていた。特に、オフィス照明など輝度が要求されるものは、殆どが高輝度ＬＥＤを高密度に実装したものやパワーＬＥＤを用いたものである。パワーＬＥＤは、高輝度ＬＥＤより明るいＬＥＤであり、大電流を必要とするため、ＬＥＤ素子が高熱を発生している。また、高輝度ＬＥＤを高密度に実装したものでは、高密度のため同様に高熱を発生している。そのため、高輝度ＬＥＤを高密度に実装したものやパワーＬＥＤを使用するＬＥＤ照明器具の場合、熱対策が非常に重要となる。
【０００５】
一方、従来の蛍光灯やＬＥＤ照明の光源の持つ絶対的な能力（明るさ）の比較する場合に、光束（Ｌｍ：ルーメン）が用いられる。ルーメンは光源から発する光の総量である。また、発光効率というのは１（Ｗ：ワット）の電気エネルギーから何ルーメンの光が取り出せるかを表した数値であり、この数値が大きい方が良い光源ということになる。従来の蛍光灯の場合、電源を含めた発光効率は４０〜８０（Ｌｍ／Ｗ）と言われている。しかし、パワーＬＥＤを搭載しても、現在のところ、ＬＥＤ照明器具の場合、電源を含めた発光効率は５０〜６０（Ｌｍ／Ｗ）程度である。
【先行技術文献】
【特許文献】
【０００６】
【特許文献１】特開２０１０−０８０３６１号公報
【発明の概要】
【発明が解決しようとする課題】
【０００７】
上述した如く、現状のＬＥＤ照明器具では、高輝度ＬＥＤを高密度に実装したり、輝度が高いパワーＬＥＤを数多く並べなければ目的とする照度を満足せず、また、その場合、高熱を発生する熱源になるという問題がある。
上記問題に鑑みて、本発明は、発光効率が高く、かつ、熱分散を図れるＬＥＤモジュールならびにＬＥＤ照明器具を提供することを目的とする。
【課題を解決するための手段】
【０００８】
本発明者は、鋭意研究を行い、試作品を数多く作製してトライ・アンド・エラーを積み重ねた結果、上述の熱の問題に関しては、通常のＬＥＤ照明器具に採用されるパワーＬＥＤではなく、電流値が小さいＬＥＤ素子（例えば、２５ｍＡ以下の電流値を流すＬＥＤ素子）を直列に並べて、また、それらを並列に配列して熱分散を図ることで、熱の発生を最小限に抑えることが可能であるとの知見を得た。
【０００９】
また、上記熱分散を図る配列としたＬＥＤモジュールに対して、スイッチング電源により電圧を印加することにより、消費電力を大幅に低減できるという知見を得た。消費電力、すなわち印加電圧が抑えられることによって、ＬＥＤモジュール周辺の電子機器に対してノイズの影響を与え難くなる。また、消費電力を大幅に低減できるということは、従来のＬＥＤモジュールと同等電力を印加することで、輝度を非常に高めることができるということになる。
【００１０】
さらに、パワーサプライとしてスイッチング電源を用いることで、ＬＥＤモジュールの発光効率（Ｌｍ／Ｗ）を大幅に高めることができることの知見を得た。
【００１１】
すなわち、上記課題を解決すべく、本発明の第１の観点のＬＥＤモジュールは、下記１）〜３）の構成要件を備える。
１）スイッチング電源
２）スイッチング電源の両極間に、２５ｍＡ以下のＬＥＤ素子を１０〜２０個直列に並べたＬＥＤ素子群を複数並列に配設
３）スイッチング電源の出力電圧が５５Ｖ以下
【００１２】
かかる構成のＬＥＤモジュールによれば、色温度が５０００（Ｋ）以上の条件下において、電源を含めた発光効率（Ｌｍ／Ｗ）が８０以上と発光効率が高く、かつ、熱分散を図れ、発熱が少なくなる。出力電圧が５５Ｖ以下のスイッチング電源の両極間に、２５ｍＡ以下のＬＥＤ素子を１０〜２０個直列に並べたＬＥＤ素子群は、結果として発熱を抑制できると共に、消費電力を大幅に削減することができるのである。
【００１３】
大電流を必要とする高輝度のパワーＬＥＤを用いるのではなく、２５ｍＡ以下のＬＥＤ素子を用い、それを直列に複数並べることで熱分散を図り、熱抵抗を小さくして熱の発生を抑制しながら、ＬＥＤ個数を数多く用いることにする。２５ｍＡ以下のＬＥＤ素子を１０〜２０個直列に並べたＬＥＤ素子群をさらに複数並列に並べる。スイッチング電源と２５ｍＡ以下のＬＥＤ素子のかかる配列の組合せにより、ＬＥＤ素子の発光性能を最大限に発揮できることになる。
【００１４】
また、スイッチング電源の出力電圧を５５Ｖ以下とするのは、電源ノイズの発生を抑えるためである。出力電圧を５５Ｖより大きい場合、実験結果としてノイズの影響を無視することは困難となる。
【００１５】
また本発明の第２の観点のＬＥＤモジュールは、下記１）〜３）の構成要件を備える。
１）直流電源
２）直流電源の両極間に、２５ｍＡ以下のＬＥＤ素子を１０〜２０個直列に並べたＬＥＤ素子群を複数並列に配設
３）直流電源の出力電圧が５５Ｖ以下
【００１６】
スイッチング電源の代わりに、直流電源を用いた構成のＬＥＤモジュールの場合も、同様に、色温度が５０００（Ｋ）以上の条件下において、電源を含めた発光効率（Ｌｍ／Ｗ）が８０以上と発光効率が高く、かつ、熱分散を図れ、発熱が少なくなるのである。
【００１７】
ここで、上記のＬＥＤモジュールにおいて、ＬＥＤ素子のジョイント温度が６０℃以下であることが好ましい。
ＬＥＤ素子のジョイント温度が高くなると、素子の寿命が短くなり、かつ、発光効率も低下するからである。したがって、ＬＥＤ素子のジョイント温度が６０℃以下、低ければ低いほど良いのである。
【００１８】
また、上記のＬＥＤモジュールにおいて、アルマイト加工したヒートシンク、放熱材を塗布したヒートシンク、サンドブラスト処理を施し且つアルマイト加工したヒートシンク、及び、サンドブラスト処理を施し且つ放熱材を塗布したヒートシンクの中から選択されたヒートシンクを更に設けたことがより好ましい。
かかる構成により放熱対策が図れるので、更に発熱が少なくなるといった利点がある。
【００１９】
上記のスイッチング電源は、定格電圧値に基づく上記のＬＥＤ素子に流し得るピーク電流値を算出し、ピーク電流値に基づいて一定周期のパルス信号によって電源を駆動させる電源駆動回路部であって、
ａ）ピーク電流値に基づいてパルス幅変調して、ＬＥＤ素子のオン期間を規定した第１のオン／オフ周期による第１駆動パルスを生成し、
ｂ）第１駆動パルスのオン期間の中にさらにスイッチングさせて、パルス最大振幅がピーク電流値とした第２のオン／オフ周期による第２駆動パルスを生成し、
ｃ）第２駆動パルスによって駆動された電流をＬＥＤ素子に印加するものである。
【００２０】
かかるスイッチング電源の構成によれば、ＬＥＤモジュールの発光効率に大幅に高めることが可能となる。
【００２１】
ここで、上記の電源駆動回路部は、ＬＥＤモジュールが接続される出力側にキャパシタンス及びインダクタンスからなる充放電回路を更に備え、パルスの最大振幅が前記ピーク電流値となるように駆動される第１駆動パルス及び第２駆動パルスのオン期間で充電してオフ期間で放電させることによって、ＬＥＤモジュール側に充放電によるパルス信号で駆動された電流を印加し得ることを特徴とすることが好ましい態様である。
かかる態様によれば、ＬＥＤモジュールの発熱を抑制し、かつ、発光効率に大幅に高めることが可能となる。
【００２２】
また、本発明に係るＬＥＤモジュールは、好適に、蛍光灯代替の直管型のＬＥＤ照明器具として利用ができる。
ここで、具体的には、上記の直管型のＬＥＤ照明器具において、１２００ｍｍの直管型の場合、全光束が１８００（Ｌｍ）以上、かつ、使用する上述のＬＥＤ素子の総数が２００個以上である。また、具体的には、上記の直管型のＬＥＤ照明器具において、６００ｍｍの直管型の場合、全光束が９００（Ｌｍ）以上、かつ、使用する上述のＬＥＤ素子の総数が１００個以上である。
【００２３】
また、上記のＬＥＤ照明器具においては、スイッチング電源や直流電源は、管外に設置されることが好ましい態様である。電源の熱の影響やノイズの影響を受け難くするためである。
【００２４】
また、本発明に係るＬＥＤモジュールは、好適に、パネル型のＬＥＤ照明器具として利用ができる。
【００２５】
さらに、上記のＬＥＤ照明器具は、遠赤外線放射性物質の顔料を少なくとも含有する塗料が表面に塗布され塗布膜が形成されたヒートシンクに、上述の本発明のＬＥＤモジュールを直接実装し、塗布膜が放熱部として機能することが好ましい態様である。
かかる態様によれば、より発熱を抑えることができる。
【発明の効果】
【００２６】
本発明のＬＥＤモジュールおよびＬＥＤ照明器具によれば、既存の蛍光灯代替のＬＥＤ照明と比べて、発光効率（Ｌｍ／Ｗ）を大幅に高めることができるといった効果がある。
【図面の簡単な説明】
【００２７】
【図１】ＬＥＤモジュールの一実施態様の回路構成図
【図２】スイッチング電源の一実施態様の回路構成図
【図３】スイッチング電源のパルス波形を示す図
【図４】ＬＥＤ照明器具の光束測定試験の構成図
【図５】温度測定の測定箇所を示す図
【発明を実施するための最良の形態】
【００２８】
以下、本発明の実施形態について、図面を参照しながら詳細に説明していく。ただし、本発明の範囲は、以下の実施例や図示例に限定されるものではなく、幾多の変更または変形が可能である。
【実施例１】
【００２９】
図１は、ＬＥＤモジュールの一実施態様の回路構成図を示している。図１に示すように、実施例１のＬＥＤモジュールは、スイッチング電源（ＰＳ）と、スイッチング電源（ＰＳ１）の両極間に、２５ｍＡ以下のＬＥＤ素子（ＤｎＡ〜ＤｎＰ；ｎ＝１〜８）を１６個直列に並べたＬＥＤ素子群を８群並列に並べたものである。スイッチング電源（ＰＳ）の出力電圧は、５５Ｖ以下とするように電源を制御している。
【００３０】
図２は、スイッチング電源（ＰＳ１）の構成図を示している。スイッチング電源（ＰＳ１）は、電力供給側とＬＥＤモジュール側の間に、定電流パルス駆動部と、負荷容量検出部と、信号処理制御部とから構成される。信号処理制御部は、ＬＥＤモジュールの負荷容量を予め検知するための検知電流を電力供給側から制御しながら供給する検知電流設定部を備える。検知電流設定部は、電力供給側から供給される電流を微小値から段階的に変化させるため、最小が１ｍＡから最大が２５ｍＡまでに対応するＬＥＤモジュールの電力及びこの電力に基づいた定格電圧値が予め設定された変換テーブルを備えている。スイッチング電源をＯＮした際に、この変換テーブルに沿って低い方の電流値から順にステップアップさせながらＬＥＤモジュール側に電流を供給していき、ＬＥＤモジュールが発光する際における電圧値を逐次検知し、この電圧値が安定したところを読み取ることでＬＥＤモジュールの標準的な電力を検知する。この検知された電力値を基にしてＬＥＤモジュールを連続発光させるために必要な定格電圧値（ＶＦ）が設定される。
【００３１】
定格電圧値（ＶＦ）を基準としたピーク電流値（Ｉｐ）は、絶対最大定格電流値(Ｉｐmax)に所定の係数ｋを乗算することによって得られる。係数ｋ（但し、０＜ｋ＜１）は発光量を規定するものであり、１に近い値を設定する。具体的には、係数ｋの設定は、ＬＥＤモジュールの外部端子（ＣＯＮＴ）に接続される可変抵抗等によって外部から設定する。ピーク電流値（Ｉｐ）は、定格電流値（ＩＦ）以上で絶対最大定格電流値（Ｉｐmax）を超えない範囲であり、かかる範囲を維持するようにパルス駆動制御されるのである。
【００３２】
また、定電流パルス駆動部は、定電流制御部と、第１のスイッチング素子Ｑ１と電流検出素子Ｒ１と第２のスイッチング素子Ｑ２とを備えるものである。定電流制御部は、ＬＥＤモジュールに流れる電流値を常時監視して常に一定供給するように制御される。定電流制御部には昇降圧コンバータが備えられ、ＬＥＤモジュールに接続されているＬＥＤに流れる電流値の増減分を補うように電力供給側から電流レベルを増減させている。第１のスイッチング素子Ｑ１は、第１のオン／オフ周期Ｔ１からなる第１駆動パルスＰ１を生成する。電流検出素子Ｒ１は、ＬＥＤモジュールの入力側に直列に接続されており、この電流検出素子Ｒ１を流れる電流値を検知し、定電流制御部にフィードバックしている。第２のスイッチング素子Ｑ２は、第２のオン／オフ周期Ｔ２からなる第２駆動パルスＰ２を生成するためのもので、第１のスイッチング素子Ｑ１がオンしている間で動作可能となっている。この第２のスイッチング素子Ｑ２は、第２のドライブ回路を介した信号処理制御部からのスイッチング制御信号ＳＷに基づいて高速にスイッチングされる。
【００３３】
定電流パルス駆動部は、ＬＥＤモジュールの電極端子に接続される出力側にインダクタンスＬ１とキャパシタンスＣ１，Ｃ２とによる充放電回路が設けられている。充放電回路では、第１のスイッチング素子Ｑ１及び第２のスイッチング素子Ｑ２がオンする度にＬＥＤモジュールに流れる電流がコンデンサＣ２にも充電される。そして、第１のスイッチング素子Ｑ１及び第２のスイッチング素子Ｑ２がオフになっている間にコンデンサＣ２に充電された電荷が放電してＬＥＤモジュールに電流が流れる。これによって、図３の波形に示すように、第１のスイッチング素子Ｑ１及び第２のスイッチング素子Ｑ２のスイッチングによるそれぞれのオン期間だけでなくオフ期間においてもＬＥＤモジュールには電流を一定量供給し続けることができる。このため、駆動電流は間欠的な方形波状のパルスでありながらＬＥＤモジュールには一定の電流が連続して流れるため、発光輝度を一定に維持することができるとともに、消費電力を低減させることが可能となる。
【００３４】
この実施例１のＬＥＤモジュールの発光効率を測定した結果を以下に説明する。測定は４０Ｗ蛍光灯形の白色タイプと透明タイプの２種類行った。測定は東京都立産業技術研究センターに依頼して実施した。電源には１００Ｖ（５０Ｈｚ）を印加して行っている。測定試験構成を図４に示す。測定試験結果を下記表１，２に示す。下記表中、比較例１，２は、それぞれ４０Ｗ蛍光灯形の白色タイプと透明タイプのものである。また、下記表中、測定例（同等照度）とあるのは、比較例の全光束と同等の条件にした場合の発光効率を調べたものであり、測定例（同等電力）とあるのは、比較例の消費電力と同等の条件にした場合の発光効率を調べたものである。
【００３５】
【表１】
2011222368.tif 000003
【００３６】
【表２】
2011222368.tif 000004
【００３７】
実施例１のＬＥＤモジュールは、上記表１から、４０Ｗ蛍光灯形（白色）の場合、比較例１に対して、同等照度の場合、消費電力が約６０％程度で済み、発光効率が約１６５％となっていることがわかる。また、４０Ｗ蛍光灯形（白色）の場合、比較例１に対して、同等電力とした場合、発光効率が約１４９％となっていることがわかる。
また、実施例１のＬＥＤモジュールは、上記表２から、４０Ｗ蛍光灯形（透明）の場合、比較例２に対して、同等照度の場合、消費電力が約６４％程度で済み、発光効率が約１６０％となっていることがわかる。また、４０Ｗ蛍光灯形（透明）の場合、比較例２に対して、同等電力とした場合、発光効率が約１３８％となっていることがわかる。
以上から、実施例１のＬＥＤモジュールは、いずれの場合も、発光効率（Ｌｍ／Ｗ）が８０以上であることが確認できた。
【実施例２】
【００３８】
実施例２では、本発明のＬＥＤモジュールを用いて直管型のＬＥＤ照明器具とした際の発光効率、直管型の両端部や中央部の部位の温度を測定した結果を示す。下記表３は、市販の直管型のＬＥＤ照明器具と、上述の実施例１のＬＥＤモジュールを用いた直管型のＬＥＤ照明器具とを対比してものである。測定機器としては、電源の入力電力と出力電力の測定にワットメータ（ＹＯＫＯＧＡＷＡ製  型番；ＷＴ１１０）,ＬＥＤ照明器具の照度測定に照度計（ＣＥＭ製  型番；ＤＴ−１３０９），温度測定に熱電対を使用した。下記表中、測定例（同等電力）とあるのは、比較例と１次側の入力電力と同等の条件にした場合の発光効率を調べたものである。
【００３９】
下記表３から、本発明のＬＥＤモジュールを用いた直管型ＬＥＤ照明器具の発光効率は、市販のＬＥＤ照明器具（比較例３）の発光効率が５８．２％であったのに対して、８９．９％と大幅に向上していることが確認できる。また電力当たりの輝度は、市販のＬＥＤ照明器具（比較例３）の１．２８（ｋｌｕｘ／Ｗ）に対して、本発明のＬＥＤモジュールを用いた直管型ＬＥＤ照明器具は２．５４（ｋｌｕｘ／Ｗ）であり、９８．４％も増大していることが確認できる。
【００４０】
さらに、熱の発生を調べるべく、直管型ＬＥＤ照明器具の各部で温度測定を行った結果を示す。図５は、温度測定の測定箇所を示すものであり、Ａ，Ｃが直管型のヒートシンク端部、Ｂがヒートシンク中央部である。測定は、電源供給して照明をＯＮした後、約３０分程度経過後の温度を測っている。
表３から、中央部Ｂの温度において、市販のＬＥＤ照明器具（比較例３）が４５℃であったのに対して、本発明のＬＥＤモジュールを用いた直管型ＬＥＤ照明器具は３４℃であり、９℃近くも低くなっていた。測定時の室温が２２℃であったことから、それぞれの温度上昇が２３℃と１２℃ということがわかり、本発明のＬＥＤモジュールを用いた直管型ＬＥＤ照明器具の場合、市販のＬＥＤ照明器具（比較例３）と比べて発熱が約半分程度であったことが理解できる。
【００４１】
【表３】
2011222368.tif 000005
【００４２】
また、下記表４は、別の市販の直管型のＬＥＤ照明器具と、上述の実施例１のＬＥＤモジュールを用いた直管型のＬＥＤ照明器具とを対比してものである。測定機器としては、上述と同様であり、電源の入力電力と出力電力の測定にワットメータ（ＹＯＫＯＧＡＷＡ製  型番；ＷＴ１１０）,ＬＥＤ照明器具の照度測定に照度計（ＣＥＭ製  型番；ＤＴ−１３０９），温度測定に熱電対を使用した。下記表中、測定例（同等電力）とあるのは、比較例と１次側の入力電力と同等の条件にした場合の発光効率を調べたものであり、測定例（同等照度）とあるのは、比較例の発光効率と同等になるようにした場合の消費電力を調べたものである。
【００４３】
下記表４から、本発明のＬＥＤモジュールを用いた直管型ＬＥＤ照明器具（同等電力）の発光効率は、市販のＬＥＤ照明器具（比較例４）の発光効率が５６．７％であったのに対して、９１．３％と大幅に向上していることが確認できる。また電力当たりの輝度は、市販のＬＥＤ照明器具（比較例４）の１．３３（ｋｌｕｘ／Ｗ）に対して、本発明のＬＥＤモジュールを用いた直管型ＬＥＤ照明器具は１．８４（ｋｌｕｘ／Ｗ）であり、３８．３％も増大していることが確認できる。
【００４４】
また、本発明のＬＥＤモジュールを用いた直管型ＬＥＤ照明器具（同等照度）の発光効率は、市販のＬＥＤ照明器具（比較例４）の発光効率が５６．７％であったのに対して、９０．７％と大幅に向上していることが確認できる。また電力当たりの輝度は、市販のＬＥＤ照明器具（比較例４）の１．３３（ｋｌｕｘ／Ｗ）に対して、本発明のＬＥＤモジュールを用いた直管型ＬＥＤ照明器具は２．３３（ｋｌｕｘ／Ｗ）であり、７５．２％も増大していることが確認できる。
【００４５】
【表４】
2011222368.tif 000006
【産業上の利用可能性】
【００４６】
本発明は、オフィスや家庭内のＬＥＤ照明器具に有用である。
【符号の説明】
【００４７】
１  測定対象のＬＥＤ照明器具
１０  遮光板
１１  自己吸収測定用電球
１２  球形光束計
１３  受光器
１４  熱電対
１５  温度記録計
ＰＳ１  スイッチング電源
【図１】
2011222368.tif 000007
【図２】
2011222368.tif 000008
【図３】
2011222368.tif 000009
【図４】
2011222368.tif 000010
【図５】
2011222368.tif 000011